(57)【特許請求の範囲】
【請求項１】
一人の人に所持された通信事業者の異なる複数台の携帯電話機の中で着信する携帯電話機を１台に特定する電話装置であって、着信する携帯電話機として特定される１台の携帯電話機が無線送受信部と近距離無線通信部と転送設定手段とを備え、着信する携帯電話機として特定される１台の携帯電話機以外の携帯電話機が無線送受信部と近距離無線通信部と転送手段とを備えており、上記１台の携帯電話機の転送設定手段により上記１台の携帯電話機に対する通信網が上記１台の携帯電話機から転送先として送信された上記１台の携帯電話機以外の携帯電話機の電話番号を記憶した状態において、一人の人に所持された複数台の携帯電話機以外の電話機からの呼び出しに対して上記１台の携帯電話機が応答した場合には一人の人に所持された複数台の携帯電話機以外の電話機と上記１台の携帯電話機とが通信可能に接続され、上記一人の人に所持された複数台の携帯電話機以外の電話機からの呼び出しに対して上記１台の携帯電話機が応答しない場合でかつ上記１台の携帯電話機に対する転送電話機能が上記１台の携帯電話機に対する通信網に設定されていない場合には通信網が上記１台の携帯電話機から応答のないことを上記一人の人に所持された複数台の携帯電話機以外の電話機に返信し、上記一人の人に所持された複数台の携帯電話機以外の電話機からの呼び出しに対して上記１台の携帯電話機が応答しない場合でかつ上記１台の携帯電話に対する転送電話機能が上記１台の携帯電話機に対する通信網に設定されている場合には上記１台の携帯電話に対する通信網が転送先としての携帯電話機の電話番号を転送先の電話番号の携帯電話機に対する通信網に送信し、この送信された転送先の電話番号の携帯電話機に対する通信網が上記転送先の電話番号の携帯電話機を呼び出し、この呼び出しに対して上記転送先の電話番号の携帯電話機が応答した場合にはこの呼び出された転送先の携帯電話機の転送手段が上記携帯電話機の近距離無線通信部と上記１台の携帯電話機の近距離無線通信部とを通信可能に接続することにより、上記一人の人に所持された複数台の携帯電話機電話以外の電話機と上記１台の携帯電話機とが通信可能に接続されることを特徴とする電話装置。
【請求項２】
着信する携帯電話機として特定される１台の携帯電話機が、発信者の電話番号と着信部位としての無線送受信部と着信部位としての近距離無線通信部と複数種類の着信音との関係を規定した経路別音データーベースと、上記無線送受信部からの着信の経路か上記近距離無線通信部からの着信の経路かを判別して対応する着信音を経路別音データーベースから抽出してスピーカーから放出するようにスピーカーを制御する着信経路判別手段とを備えたことを特徴とする請求項１記載の電話装置。
【発明の詳細な説明】
【技術分野】
【０００１】
本発明は、一人の人に所持された複数台の携帯電話機の中で着信する携帯電話機を１台に特定する電話装置に関する。
【背景技術】
【０００２】
特許文献１で開示されているように、一人の人が通信事業者の異なる複数台の携帯電話機を所持することは知られている。このように一人の人が通信事業者の異なる複数台の携帯電話機を所持した状態において、例えば、着信があった場合に複数台の携帯電話機を所持する人が着信した携帯電話機がどれかを認識しにくいという欠点があり、また、携帯電話機が圏外に存在すると着信が拒否されるという欠点がある。
【０００３】
ところで、転送電話機能は、着信した通信を予め指定した指定先の電話機に転送する機能として広く知られている。転送電話機能としては、圏外転送や時間帯別転送が知られている。圏外転送は、携帯電話機が電源オフの状態又は圏外に存在するなどにより、無線基地局の側が携帯電話機を認証できない場合に予め指定先の電話機に転送するものである。また、時間帯別転送は、予め指定された時間帯によって予め指定された電話機に転送するものである。そして、近距離無線通信機能は、数ｍ程度離れている電子機器同士を無線で接続してデータのやり取りを行う機能として広く知られている。この近距離無線通信機能を利用して圏外に存在する携帯電話機に着信を転送することは、特許文献２に開示されている。
【０００４】
そこで、上記公知の転送電話機能と近距離無線通信機能とを利用して、一人の人に所持された複数台の携帯電話機の中で着信する携帯電話機を１台に特定することが考えられるが、上記特定された１台以外の携帯電話機に転送電話機能により転送された通信を当該１台以外の携帯電話機から上記特定された１台の携帯電話機に近距離無線通信機能により送信するときに、人の操作が必要になるので、煩雑である。
【先行技術文献】
【特許文献】
【０００５】
【特許文献１】特開平１１‐５５７５２号公報
【特許文献２】特開２００３‐２４４７７２号公報
【発明の概要】
【発明が解決しようとする課題】
【０００６】
本発明は、上記背景技術に鑑みてなされたものであり、一人の人が通信事業者の異なる複数台の携帯電話機を所持する電話装置において、転送電話機能と近距離無線通信機能とを利用して、特定された１台以外の携帯電話機から特定された１台の携帯電話機に近距離無線通信機能により送信するときに人の操作を伴うことなく自動的に送信させて着信する携帯電話機を１台に特定することを目的とする。
【課題を解決するための手段】
【０００７】
本発明は、一人の人に所持された通信事業者の異なる複数台の携帯電話機の中で着信する携帯電話機を１台に特定する電話装置であって、着信する携帯電話機として特定される１台の携帯電話機が無線送受信部と近距離無線通信部と転送設定手段とを備え、着信する携帯電話機として特定される１台の携帯電話機以外の携帯電話機が無線送受信部と近距離無線通信部と転送手段とを備えており、上記１台の携帯電話機の転送設定手段により上記１台の携帯電話機に対する通信網が上記１台の携帯電話機から転送先として送信された上記１台の携帯電話機以外の携帯電話機の電話番号を記憶した状態において、一人の人に所持された複数台の携帯電話機以外の電話機からの呼び出しに対して上記１台の携帯電話機が応答した場合には一人の人に所持された複数台の携帯電話機以外の電話機と上記１台の携帯電話機とが通信可能に接続され、上記一人の人に所持された複数台の携帯電話機以外の電話機からの呼び出しに対して上記１台の携帯電話機が応答しない場合でかつ上記１台の携帯電話機に対する転送電話機能が上記１台の携帯電話機に対する通信網に設定されていない場合には通信網が上記１台の携帯電話機から応答のないことを上記一人の人に所持された複数台の携帯電話機以外の電話機に返信し、上記一人の人に所持された複数台の携帯電話機以外の電話機からの呼び出しに対して上記１台の携帯電話機が応答しない場合でかつ上記１台の携帯電話に対する転送電話機能が上記１台の携帯電話機に対する通信網に設定されている場合には上記１台の携帯電話に対する通信網が転送先としての携帯電話機の電話番号を転送先の電話番号の携帯電話機に対する通信網に送信し、この送信された転送先の電話番号の携帯電話機に対する通信網が上記転送先の電話番号の携帯電話機を呼び出し、この呼び出しに対して上記転送先の電話番号の携帯電話機が応答した場合にはこの呼び出された転送先の携帯電話機の転送手段が上記携帯電話機の近距離無線通信部と上記１台の携帯電話機の近距離無線通信部とを通信可能に接続することにより、上記一人の人に所持された複数台の携帯電話機電話以外の電話機と上記１台の携帯電話機とが通信可能に接続されることを特徴とする。
【発明の効果】
【０００８】
本発明は、一人の人が通信事業者の異なる複数台の携帯電話機を所持する電話装置において、転送電話機能と近距離無線通信機能とを利用して、特定された１台以外の携帯電話機から特定された１台の携帯電話機に近距離無線通信により送信するときに人の操作を伴うことなく自動的に送信させて着信する携帯電話機を１台に特定することができるという効果がある。また、上記特定された１台の携帯電話機に着信があった際、着信の経路に応じた着信音を出せば、その着信が転送電話機能により転送された着信なのか転送電話機能により転送された着信ではないのかを判断することができるという効果がある。
【図面の簡単な説明】
【０００９】
【図１】実施の形態に係る電話装置を示す構成図。
【図２】実施の形態に係る第１携帯電話機を示す構成図。
【図３】実施の形態に係る第２携帯電話機を示す構成図。
【図４】実施の形態に係る経路別音データーベースを示す図表。
【図５】実施の形態に係る転送データーベースを示す図表。
【図６】実施の形態に係る時間帯別データーベースを示す図表。
【図７】実施の形態に係る制御局の前段の処理を示すフローチャート。
【図８】実施の形態に係る転送装置の処理を示すフローチャート。
【図９】実施の形態に係る制御局の後段の処理を示すフローチャート。
【図１０】実施の形態に係る制御局の後段の処理を示すフローチャート。
【図１１】実施の形態に係る第１携帯電話機の着信経路別により着信音を変える処理を示すフローチャート。
【図１２】実施の形態に係る第１携帯電話機の着信経路別により着信音を変える処理を示すフローチャート。
【発明を実施するための形態】
【００１０】
図１を参照し、実施の形態に係る電話装置について説明する。一人の人により所持される複数の携帯端末機として第１携帯電話機１と第２携帯電話機２とを例示する。第２携帯電話機２は、単数に限定されるものではなく、複数であってもよい。第２携帯電話機２が複数の場合、一方の第２携帯電話機２と他方の第２携帯電話機２とが互いに経営の異なる通信事業者により運営される別々の通信網を利用する方がよい。上記一人の人以外の別々の人が所持する携帯端末機として第３携帯電話機３と第４携帯電話機４とを例示する。第１乃至第４携帯電話機１乃至４は、ＰＨＳ（Personal Handy-phone System）で使用可能な携帯電話機やそれ以外の通信システムで使用可能な携帯電話機で構成される。第１・第２携帯電話機１；２は、近距離無線通信５で接続して互いにデータのやり取りを行えるようになっている。第１・第３携帯電話機１；３は、１つの通信網６を利用する形態を例示する。第２・第４携帯電話機２；４は、第１・第３携帯電話機１；３と異なる別の通信網７を利用する形態を例示する。通信網６；７は、互いに経営の異なる通信事業者により運営される。
【００１１】
図１の電話装置では、予め、第１・第２携帯電話機１；２を所持する人が第１携帯電話機１を操作して通信網６に転送電話機能の圏外転送の設定として転送先設定者としての第１携帯電話機１の電話番号と転送先としての第２携帯電話機２の電話番号とを記録しておく。この実施の形態では、第１・第２携帯電話機１；２を所持する人が第１携帯電話機１を操作して無線基地局１０より制御局８に転送電話機能の圏外転送を設定しておく。この圏外転送の設定により制御局８は、圏外転送の設定時の第１携帯電話機１の電話番号と第１携帯電話機１から転送先として送信された第２携帯電話機２の電話番号とを転送装置９に送信する。これにより、転送装置９が、転送先設定者としての第１携帯電話機１の電話番号と転送先としての第２携帯電話機２の電話番号とを転送データーベース１６に記録しておく。又、第１・第２携帯電話機１；２が図２のペアリング設定手段３４と図３のペアリング設定手段５４との働きにより、図２の近距離無線通信部２２と図３の近距離無線通信部４２とが通信可能に接続されおり、図１の第１・第２携帯電話機１；２が近距離無線通信５で互いに通信可能に接続されている。
【００１２】
尚、第１携帯電話機１が圏外転送及び近距離無線通信５を利用して着信する１台の電話機として特定される場合を例とし、通信網６が制御局８と転送装置９と無線基地局１０；１１とを備えた形態、通信網７が制御局１２及び無線基地局１３；１４を備えた形態、制御局８；１２が関門交換機１５によって互いに通信可能に接続された形態を例示する。転送装置９には、転送データーベース１６及び時間帯別データーベース１７が設けられる。制御局８には、カウンター１８が設けられる。又、仮想線で示す枠１９は、第１・第２携帯電話機１；２が一人の人により所持された状態を示している。近距離無線通信５は、図２の近距離無線通信部２２と図３の近距離無線通信部４２との動作により実行される。転送データーベース１６については、図４で説明する。時間帯別データーベース１７については、図４で説明する。
【００１３】
図１の電話装置において、第１携帯電話機１が近距離無線通信５及び通信網６の双方に対して待受け状態でありかつ無線基地局１０の通信可能な位置登録エリアに存在つまり圏内に存在している状態において、第３携帯電話機３から第１携帯電話機１に対し発信した場合について説明する。第３携帯電話機３を所持した人が第３携帯電話機３で第１携帯電話機１の電話番号を入力して発信を行う。それに伴い、第１携帯電話機１の電話番号が第３携帯電話機３から無線基地局１１を経由して制御局８に到達する。制御局８は、通信網６における図外のホームロケーションレジスタを利用して第１携帯電話機１の存在する位置登録エリアを確認し、その確認された位置登録エリアを受け持つ無線基地局１０に第１携帯電話機１の電話番号に対する一斉呼び出しの指示を出す。この指示を受けた無線基地局１０が自分の受け持つ位置登録エリアに第１携帯電話機１の電話番号に対する一斉呼び出しを行う。その一斉呼び出しに第１携帯電話機１が応答すると、第１携帯電話機１と無線基地局１０とが互いに通信可能に接続され、第１携帯電話機１が第１・第２携帯電話機１；２を所持する人によりオフフックされると、第１携帯電話機１と第３携帯電話機３とが制御局８及び無線基地局１０；１１を経由して通話できるようになる。
【００１４】
次に、上記電話装置において、第１携帯電話機１が近距離無線通信５及び通信網６の双方に対して待受け状態でありかつ無線基地局１０の通信可能なエリアに存在していないつまり圏外に存在しており、第２携帯電話機２が近距離無線通信５及び通信網７の双方に対して待受け状態でありかつ無線基地局１３の通信可能なエリアに存在しているつまり圏内に存在している状態において、第３携帯電話機３から第１携帯電話機１に対し発信した場合について説明する。第３携帯電話機３を所持した人が第３携帯電話機３で第１携帯電話機１の電話番号を入力して発信を行う。それに伴い、第１携帯電話機１の電話番号が第３携帯電話機３から無線基地局１１を経由して制御局８に到達する。制御局８は、通信網６における図外のホームロケーションレジスタに記録されている第１携帯電話機１の存在する位置登録エリアを確認し、その確認された位置登録エリアを受け持つ無線基地局１０に第１携帯電話機１の電話番号に対する一斉呼び出しの指示を出す。この指示を受けた無線基地局１０が自分の受け持つ位置登録エリアに第１携帯電話機１の電話番号に対する一斉呼び出しを行う。第１携帯電話機１が圏外に存在することから当該一斉呼び出しに応答しないので、第１携帯電話機１と無線基地局１０とが互いに通信可能に接続されず、無線基地局１０は一斉呼び出しに対する第１携帯電話機１からの応答がないことを制御局８に通知する。その通知により、制御局８は、第１携帯電話機１に対する圏外転送が設定されているかいないかを判断する。
【００１５】
次に、転送装置９に第１携帯電話機１に対する圏外転送が設定されている場合と設定されていない場合とについて説明する。無線基地局１０は、第１携帯電話機１が無線基地局１０からの一斉呼び出しに対する応答しないことを、制御局８に通知する。この通知に応じて、制御局８は、転送装置９に圏外転送が設定されているかいないかを確認する。つまり、転送装置９が制御局８から圏外転送が設定されているかいないかを確認するための信号を受信すると、転送装置９が転送データーベース１６に設定されている情報を確認し、転送装置９に圏外転送が設定されている場合、すなわち、転送データーベース１６に圏外転送が設定されている場合は、転送装置９が転送データーベース１６から第１携帯電話機１の電話番号に対応する転送先としての第２携帯電話機２の電話番号を抽出して制御局８に返信し、制御局８が第２携帯電話機２の電話番号と転送を行う情報とを関門交換機１５から制御局１２に送信する。それにより、制御局１２は、通信網７における図外のホームロケーションレジスタに記憶されている第２携帯電話機２の存在する位置登録エリアを確認し、その確認された位置登録エリアを受け持つ無線基地局１３に第２携帯電話機２の電話番号に対する一斉呼び出しの指示を出す。この指示を受けた無線基地局１３が自分の受け持つ位置登録エリアに第２携帯電話機２の電話番号に対する一斉呼び出しを行う。
【００１６】
第２携帯電話機２が圏内に存在することから上記一斉呼び出しに応答すると、第２携帯電話機２が無線基地局１３を経由して制御局１２に接続される。このとき、第２携帯電話機２は、転送を行う情報により図３の転送手段５３の働きによって、転送電話機能による一斉呼び出しであることを確認して、図３のマイクロホン４３と図３のスピーカー４４とを不動作の状態に設定して集音をしないと共に着信音を発生しないで、近距離無線通信５を使って第１携帯電話機１に呼び出しを伝達する。それに伴い、第１携帯電話機１が第２携帯電話機２からの近距離無線通信５による着信であることを確認して図５の経路別音データーベース３６に基づき発信者の電話番号と近距離無線通信５に応じたメロディで着信音を発生する。尚、メロディは、いくつかの楽音が前後に連続し、リズムにしたがって連続して進行する音楽的内容を持つ旋律のことである。以下、同様である。また、第１携帯電話機１が通信を着信した場合、図５の経路別音データーベース３６に基づき発信者の電話番号と近距離無線通信５に応じたメロディで着信音を発生するようにしたが、着信音としてはメロディでなくてもよく、例えば、「ピィ」や「ブィ」等の旋律を構成しない単音でもよい。さらに、これら単音の組み合わせでもよく、また、単音の長さを変えて設定してもよい。要は、通信を着信したときに通信を発信した「発信者」が誰であるのかを、着信部位である「無線送受信部」又は「近距離無線通信部」の関係からの音の違いとして、第１・第２携帯電話機１;２を所持する人が判断できる音であればよい。
【００１７】
上記着信音を聴いた第１・第２携帯電話機１；２を所持する人が第１携帯電話機１をオフフックすると、そのオフクックの信号が第１携帯電話機１から第２携帯電話機２に送信され、第２携帯電話機２が図３の転送手段５３の働きにより、人の操作によらず自動的にオフフックになり、第１携帯電話機１と第３携帯電話機３とが近距離無線通信５と第２携帯電話機２と無線基地局１１；１３と制御局８；１２と関門交換機１５とを経由して通話できるようになる。尚、第２携帯電話機２が図３の転送手段５３の働きにより転送電話機能による一斉呼び出しであることを確認した場合、図３のマイクロホン４３と図３のスピーカー４４とを不動作の状態に設定して集音をしないと共に着信音を発生しないで、人の操作によらず自動的にオフフックすることも考えられる。これに対し、実施の形態では、上記のように、第１携帯電話機１が第１・第２携帯電話機１；２を所持する人によるオフクックの信号を第１携帯電話機１から第２携帯電話機２に送信されることにより、第２携帯電話機２が図３の転送手段５３の働きにより、人の操作によらず自動的にオフフックするようになっているので、第２携帯電話機２が図３の転送手段５３の働きにより転送電話機能による一斉呼び出しであることを確認した場合に図３のマイクロホン４３と図３のスピーカー４４とを不動作の状態に設定して集音をしないと共に着信音を発生しないで人の操作によらず自動的にオフフックするよりも、第２携帯電話機２に対する通信料を安くすることができる。
【００１８】
又、上記転送装置９に圏外転送が設定されている場合でも、第１携帯電話機１が電源オフになっている場合は、第１携帯電話機１が近距離無線通信５による第３携帯電話機３からの呼び出しに応答しない。しかしながら、第２携帯電話機２は第３携帯電話機３と通信可能に接続されているので、そのままであると、通信料金が嵩むうえ、第２携帯電話機２と第３携帯電話機３との通信回線が維持されたままとなる。そこで、制御局８のカウンター１８が転送電話機能による第２携帯電話機２への呼び出しを開始してからの時間又は時期をカウントし、カウンター１８のカウント値が制御局８に設定された呼出時間に到達すると、制御局８がカウンター１８のカウント値が呼出時間に到達したことを示す情報を関門交換機１５と制御局１２及び無線基地局１３を経由して第２携帯電話機２に送信することにより、第２携帯電話機２が人の操作によらず自動的にオンフックになるようになっている。
【００１９】
よって、第１携帯電話機１が電源オフになっている場合は、上記カウンター１８のカウント値が呼出時間に到達して、第２携帯電話機２がオンフックになるのに伴い、そのオンフックの信号が第２携帯電話機２から無線基地局１３を経由して制御局１２に送信され、制御局１２が関門交換機１５を経由して制御局８に第２携帯電話機２のオンフックを通知し、制御局８が第２携帯電話機２のオンフックを無線基地局１１から第３携帯電話機３に返信する。その返信を受けた第３携帯電話機３は、例えば「ただ今、電話に出ることができません。ピィという発信音の後にお名前とご用件をお話下さい」というような報知情報により、第１携帯電話機１が圏外に存在するか又は電源が切られていていることを発信者である第３携帯電話機３を所持する人に報知する。これにより、通信料金が嵩むことと第２携帯電話機２と第３携帯電話機３との通信回線が維持されたままとなることを防止することができる。
【００２０】
一方、転送装置９に圏外転送が設定されていない場合は、制御局８が第１携帯電話機１から一斉呼び出しに対する応答のないことを無線基地局１１から第３携帯電話機３に返信する。その返信を受けた第３携帯電話機３は、例えば「ただ今、電話に出ることができません。ピィという発信音の後にお名前とご用件をお話下さい」というような報知情報により、第１携帯電話機１が圏外に存在するか又は電源が切られていることを、発信者である第３携帯電話機３を所持する人に報知する。
【００２１】
次に、図１の第１・第２携帯電話機１；２が近距離無線通信５で互いに通信可能に接続されている状態において、第４携帯電話機４から第２携帯電話機２に対して発信した場合について説明する。第４携帯電話機４を所持した人が第４携帯電話機４で第２携帯電話機２の電話番号を入力して発信を行う。それに伴い、第２携帯電話機２の電話番号が第４携帯電話機４から無線基地局１４を経由して制御局１２に到達する。制御局１２は、通信網７における図外のホームロケーションレジスタに記憶されている第２携帯電話機２の存在する位置登録エリアを確認し、その確認された位置登録エリアを受け持つ無線基地局１３に第２携帯電話機２の電話番号に対する一斉呼び出しの指示を出す。この指示を受けた無線基地局１３が自分の受け持つ位置登録エリアに第２携帯電話機２の電話番号に対する一斉呼び出しを行う。そして、第２携帯電話機２が圏外に存在する場合には、第２携帯電話機２が上記無線基地局１３からの一斉呼び出しに応答しないので、第２携帯電話機２と無線基地局１３とが互いに通信可能に接続されず、無線基地局１３は一斉呼び出しに対する第２携帯電話機２からの応答がないことを制御局１２に通知する。
【００２２】
一方、第２携帯電話機２が圏内に存在する場合には、上記一斉呼び出しに応答可能なので、第２携帯電話機２が一斉呼び出しに応答すると、第２携帯電話機２が無線基地局１３を経由して制御局１２に接続される。このとき、第２携帯電話機２は、内部のコンピューターの働きにより、第４携帯電話機４による一斉呼び出しであることを確認して、マイクロホン４３とスピーカー４４とを不動作の状態に設定して集音をしないと共に着信音を発生しないで、近距離無線通信５を使って第１携帯電話機１に呼び出しを伝達する。それに伴い、第１携帯電話機１が第２携帯電話機２からの近距離無線通信５による着信であることを確認して図５の経路別音データーベース３６に基づき発信者の電話番号と近距離無線通信５とに応じたメロディで着信音を発生する。その着信音を聴いた第１・第２携帯電話機１；２を所持する人が第１携帯電話機１をオフフックすると、そのオフクックの信号が第１携帯電話機１から第２携帯電話機２に送信され、第２携帯電話機２が内部のコンピューターの働きにより、人の操作によらず自動的にオフフックになり、第１携帯電話機１と第４携帯電話機３とが近距離無線通信５と第２携帯電話機２と無線基地局１３；１４と制御局１２とを経由して通話できるようになる。
【００２３】
尚、第２携帯電話機２が第４携帯電話機４による一斉呼び出しであることを確認した場合、図３のマイクロホン４３と図３のスピーカー４４とを不動作の状態に設定して集音をしないと共に着信音を発生しないで、人の操作によらず自動的にオフフックすることも考えられる。これに対し、実施の形態では、上記のように、第１携帯電話機１が第１・第２携帯電話機１；２を所持する人によるオフクックの信号を第１携帯電話機１から第２携帯電話機２に送信することにより、第２携帯電話機２が図３の転送手段５３の働きにより、人の操作によらず自動的にオフフックするようになっているので、第２携帯電話機２が内部のコンピューターの働きにより転送電話機能による一斉呼び出しであることを確認した場合に図３のマイクロホン４３と図３のスピーカー４４とを不動作の状態に設定して集音をしないと共に着信音を発生しないで人の操作によらず自動的にオフフックするよりも、第２携帯電話機２に対する通信料を安くすることができる。
【００２４】
図２を参照し、実施の形態に係る第１携帯電話機１の構成について説明する。第１携帯電話機１は、携帯容器に、無線送受信部２１、近距離無線通信部２２、マイクロホン２３、スピーカー２４、キーボード２５、ディスプレイ２６、バッテリー２７、フラッシュメモリー２８、制御部２９を備える。
【００２５】
無線送受信部２１は、キーボード２５に設置された図外の電源スイッチがオンされて、バッテリー２７からの電力で動作した制御部２９の制御により図１の無線基地局１０と無線通信を行うものであって、通話機能だけを備えた構成、通話機能とデータ通信機能とを併有した構成が考えられる。
【００２６】
図２に戻り、近距離無線通信部２２は、赤外線、ブルートゥース（登録商標）、フェリカ（登録商標）、Ｗｉ‐Ｆｉ（登録商標）を利用した近距離無線通信５により情報をやり取りするものである。マイクロホン２３は、音声や音を集音して電気信号に変換して出力する機器である。スピーカー２４は、電気信号を音声や音に変換して出力する機器である。キーボード２５は、制御部２９の入力機器を構成する多数のキーを備える。多数のキーとしては、置数キー、電源スイッチ、オフスイッチ（発信スイッチと同義語）、オンスイッチ（発信停止スイッチと同義語）、ファンクションキーなどである。ディスプレイ２６は、第１携帯電話機１を操作する人に制御部２９の出力情報を可視化するための出力機器を構成する。バッテリー２７は、第１携帯電話機１の各電気部品に直流の電力を供給する電源である。フラッシュメモリー２８は、制御部２９の働きにより電話帳や通信履歴などの情報を記録する記録媒体である。
【００２７】
制御部２９は、ＣＰＵ３０、ＲＯＭ３１、ＲＡＭ３２、転送設定手段３３、ペアリング設定手段３４、着信経路判別手段３５、経路別音データーベース３６を備える。ＣＰＵ３０は、ＲＯＭ３１に格納されたオペレーティングシステムやアプリケーションソフトからなるプログラムにしたがいＲＡＭ３２に記憶されている情報を使用しながら動作して第１携帯電話機１の各電気部品の動作を制御するものである。転送設定手段３３、ペアリング設定手段３４、着信経路判別手段３５は、ＣＰＵ３０の動作で具現化される。
【００２８】
転送設定手段３３は、第１・第２携帯電話機１；２を所持する人の操作をきっかけとするＣＰＵ３０の働きにより無線送受信部２１を経由して図１の制御部２９に対する圏外転送を設定する処理を行う。ペアリング設定手段３４は、第１・第２携帯電話機１；２を所持する人の操作をきっかけとするＣＰＵの働きにより近距離無線通信部２２と図３の近距離無線通信部４２とを通信可能に接続する処理を行う。着信経路判別手段３５は、ＣＰＵの働きにより無線送受信部２１からの着信か近距離無線通信部２２からの着信かといような着信経路を判別し、その判別結果に対応するメロディを経路別音データーベース３６から抽出してスピーカー２４から放出するようにスピーカー２４を制御する処理を行う。経路別音データーベース３６については、図５で説明する。
【００２９】
図３を参照し、実施の形態に係る第２携帯電話機２の構成について説明する。第２携帯電話機２は、携帯容器に、無線送受信部４１、近距離無線通信部４２、マイクロホン４３、スピーカー４４、キーボード４５、ディスプレイ４６、バッテリー４７、フラッシュメモリー４８、制御部４９を備える。
【００３０】
無線送受信部４１は、キーボード４５に設置された図外の電源スイッチがオンされて、バッテリー４７からの電力で動作した制御部４９の制御により図１の無線基地局１３と無線通信を行うものであって、通話機能だけを備えた構成、通話機能とデータ通信機能とを併有した構成が考えられる。
【００３１】
図３に戻り、近距離無線通信部４２は、赤外線、ブルートゥース（登録商標）、フェリカ（登録商標）、Ｗｉ‐Ｆｉ（登録商標）を利用した近距離無線通信５により情報をやり取りするものである。マイクロホン４３は、音声や音を集音して電気信号に変換して出力する機器である。スピーカー４４は、電気信号を音声や音に変換して出力する機器である。キーボード４５は、制御部４９の入力機器を構成する多数のキーを備える。多数のキーとしては、置数キー、電源スイッチ、発信スイッチ、ファンクションキーなどである。ディスプレイ４６は、第２携帯電話機２を操作する人に制御部４９の出力情報を可視化するための出力機器を構成する。バッテリー４７は、第２携帯電話機２の各電気部品に直流の電力を供給する電源である。フラッシュメモリー４８は、制御部４９の働きにより電話帳や通信履歴などの情報を記録する記録媒体である。
【００３２】
制御部４９は、ＣＰＵ５０、ＲＯＭ５１、ＲＡＭ５２、転送手段５３、ペアリング設定手段５４を備える。ＣＰＵ５０は、ＲＯＭ５１に格納されたオペレーティングシステムやアプリケーションソフトからなるプログラムにしたがいＲＡＭ５２に記憶されている情報を使用しながら動作して第２携帯電話機２の各電気部品の動作を制御するものである。転送手段５３、ペアリング設定手段５４、着信経路判別手段３５は、ＣＰＵ５０の動作で具現化される。転送手段５３は、ＣＰＵ５０の働きにより図１の制御局１２から送信された圏外転送を行う情報を受信すると、マイクロホン４３とスピーカー４４とを不動作の状態に設定し、近距離無線通信部４２と図２の近距離無線通信部２２とを通信可能に接続し、その接続された近距離無線通信部４２と図２の近距離無線通信部２２とを経由して第１携帯電話機１に呼び出しを伝達する処理を行う。ペアリング設定手段５４は、第１・第２携帯電話機１；２を所持する人の操作をきっかけとするＣＰＵの働きにより近距離無線通信部４２と図２の近距離無線通信部２２とを通信可能に接続する処理を行う。
【００３３】
図４を参照し、実施の形態に係る転送データーベース１６について説明する。転送データーベース１６は、転送先設定者により決められた転送先に圏外転送を行うのに必要なデーターベースであり、転送先設定者の電話番号と転送先の電話番号との関係を規定したデーターベースとして構築されている。又、図４には図示していないが、転送先は、１番目転送先、２番目転送先に限定されるものでなく、３番目転送先、４番目転送先のように３個以上設けてもよい。又、図４において、転送先設定者として記録可能な員数は、４つに限定されるものではなく、単数でも又は複数でもよい。
【００３４】
図５を参照し、実施の形態に係る経路別音データーベース３６について説明する。経路別音データーベース３６は、着信経路の違いにより異なる着信音を発生するのに必要なデーターベースであり、発呼者の電話番号と着信部位としての無線送受信部と着信部位としての近距離無線通信部と複数種類のメロディとの関係を規定したデーターベースとして構築されている。又、図５において、発呼者として記録可能な員数は、４つに限定されるものではなく、単数でも又は複数でもよい。
【００３５】
図６を参照し、実施の形態に係る時間帯別データーベース１７について説明する。時間帯別データーベース１７は、発呼者の電話番号と転送時間と転送先との関係を規定したデーターベースとして構築されている。又、図６において、発信者として記録可能な員数は、４つに限定されるものではなく、単数でも又は複数でもよい。又、図６において、転送時間として記録可能な員数は、２つに限定されるものではなく、単数でも又は複数でもよい。
【００３６】
図７を参照し、実施の形態に係る制御局８における圏外転送の前段の処理について説明する。この前段の処理は、第１携帯電話機１が近距離無線通信５及び通信網６の双方に対して待受け状態でありかつ圏外に存在しており、第２携帯電話機２が近距離無線通信５及び通信網７の双方に対して待受け状態でありかつ圏内に存在している状態において、第３携帯電話機３から第１携帯電話機１に対して発信した場合の処理であり、第１携帯電話機１が圏外に存在する場合又は第１携帯電話機１が圏内に存在しても第１・第２携帯電話機１；２を所持する人が第１携帯電話機１をオフフックしない場合において転送装置９に第３携帯電話機３からの転送が設定されていれば制御局８が転送処理を行い、第１携帯電話機１が圏内に存在していて第１・第２携帯電話機１；２を所持する人が第１携帯電話機１をオフフックした場合には制御局８が転送処理を行わないものである。尚、図７の処理の説明において、第１乃至第３携帯電話機１乃至３、制御局８、転送装置９、無線基地局１０については、図１を参照されたい。
【００３７】
図７において、ステップ１０１では、第１携帯電話機１が圏外に存在するか圏内に存在するかを判断する。即ち、第１携帯電話機１が圏外に存在する場合には、無線基地局１０からの第１携帯電話機１の電話番号に対する一斉呼び出しに対して第１携帯電話機１からの応答が無線基地局１０から制御局８に到達しないので、ステップ１０１がＹＥＳになり、ステップ１０２に進む。逆に、第１携帯電話機１が圏内に存在する場合には、無線基地局１０からの第１携帯電話機１の電話番号に対する一斉呼び出しに対して第１携帯電話機１からの応答が無線基地局１０から制御局８に到達するので、ステップ１０１がＮＯになり、ステップ１０４に進む。
【００３８】
ステップ１０２では、転送か転送でないかを判断する。即ち、第１携帯電話機１に対する圏外転送が転送装置９に設定されていれば、ステップ１０２がＹＥＳになり、ステップ１０３に進む。逆に、第１携帯電話機１による圏外転送が転送装置９に設定されていなければ、ステップ１０２がＮＯになり、図７の処理を終わる。ステップ１０３では、制御局８が転送確認指示とステップ１０１での判断のきっかけとなった第１携帯電話機１の電話番号とを転送装置９に出力して、図７の処理を終わる。
【００３９】
一方、ステップ１０４からステップ１１１の処理は、第１携帯電話機１が圏内に存在するものの制御局８からの第１携帯電話機１の電話番号に対する一斉呼び出しに対し、第１・第２携帯電話機１；２を所持する人が第１携帯電話機１をオフフックしない場合とオフフックした場合の処理である。つまり、ステップ１０４では、制御局８が第１携帯電話機１に対する呼び出しを開始（呼出開始）する。このステップ１０４での呼出開始により、第１携帯電話機１では着信音が鳴る。次に、ステップ１０５では、制御局８のカウンター１８が第１携帯電話機１に対する呼出開始からの経過時間又は経過期間のカウントを開始し、ステップ１０６に進む。
【００４０】
ステップ１０６では、ステップ１０５で開始されたカウント値が制御局８に設定された呼出時間に到達したか到達しないかを判断する。カウント値が呼出時間に到達しなければ、ステップ１０６がＮＯになり、ステップ１０９に進む。逆に、カウント値が呼出時間に到達すると、ステップ１０６がＹＥＳになり、ステップ１０７に進む。ステップ１０７では、制御局８のカウンター１８が第１携帯電話機１に対する呼出開始からの経過時間又は経過期間のカウントを終了し、カウンター１８のカウント値をゼロにリセットし、ステップ１０８に進む。ステップ１０８では、制御局８が第１携帯電話機１に対する呼び出しを終了（呼出終了）し、ステップ１０２に戻り、ステップ１０２及び又はステップ１０３の処理を経て図７の処理を終わる。
【００４１】
又、ステップ１０９では、制御局８が第１携帯電話機１のオフフックかオンフックかを判断する。第１・第２携帯電話機１；２を所持する人が第１携帯電話機１をオフフックしなければ、ステップ１０９がＮＯになり、ステップ１０６に戻る。逆に、第１・第２携帯電話機１；２を所持する人が第１携帯電話機１をオフフックすれば、ステップ１０９がＹＥＳになり、ステップ１１０に進む。ステップ１１０では、制御局８のカウンター１８が第１携帯電話機１に対する呼出開始からの経過時間又は経過期間のカウントを終了し、カウンター１８のカウント値をゼロにリセットし、ステップ１１１に進む。ステップ１１１では、制御局８が第１携帯電話機１に対する呼び出しを終了（呼出終了）して図７の処理を終わる。
【００４２】
図８を参照し、実施の形態に係る転送装置９の処理について説明する。この転送装置９における処理は、図７のステップ１０３での転送確認指示と図７のステップ１０１での判断のきっかけとなった第１携帯電話機１の電話番号とが制御局８から転送装置９に入力した場合の処理である。尚、図８の処理の説明において、第１携帯電話機１、第２携帯電話機２、通信網７、制御局８；１２、転送装置９、無線基地局１０；１３、関門交換機１５については図１を参照され、ＲＡＭ３１については図２を参照され、転送データーベース１６については図４を参照されたい。図８において、ステップ２０１では、転送確認指示が有ったか無かったかを判断する。即ち、制御局８からの転送確認指示が転送装置９に無ければ、ステップ２０１がＮＯになり、ステップ２０１に戻る。逆に、制御局８からの転送指示が転送装置９に有れば、ステップ２０１がＹＥＳになり、ステップ２０２に進む。
【００４３】
ステップ２０２では、転送装置９が転送先を決定する。即ち、転送装置９は、ステップ２０１で制御局８から転送確認指示と共に入力された第１携帯電話機１の電話番号を転送データーベース１６に照合し、転送データーベース１６から第１携帯電話機１の電話番号に対応する転送先の電話番号を転送先として決定する。例えば、第１携帯電話機１の電話番号が「０７０１２３４５６７８」とすると、転送装置９が図４の転送データーベース１６の転送先から上記電話番号「０７０１２３４５６７８」に対応する転送先の電話番号として１番目転送先である第２携帯電話機２の電話番号と２番目転送先であるＡ携帯電話機の電話番号とを抽出する。Ａ携帯電話機の構成ついては、図示はしないが、図３の第２携帯電話機２と同様の構成になっている。つまり、Ａ携帯電話機は、図３に示す無線送受信部４１に相当する無線送受信部、近距離無線通信部４２に相当する近距離無線通信部、マイクロホン４３に相当するマイクロホン、スピーカー４４に相当するスピーカー、キーボード４５に相当するキーボード、ディスプレイ４６に相当するディスプレイ、バッテリー４７に相当するバッテリー、フラッシュメモリー４８に相当するフラッシュメモリー、制御部４９に相当する制御部を携帯容器に備え、制御部４９に相当する制御部に図３に示すＣＰＵ５０に相当するＣＰＵ、ＲＯＭ５１に相当するＲＯＭ、ＲＡＭ５２に相当するＲＡＭ、転送手段５３に相当する転送手段、ペアリング設定手段５４に相当するペアリング設定手段を備える。
【００４４】
尚、制御局８から転送確認指示と共に入力された電話番号に対応する転送先が転送データーベース１６に１番目転送先として１個だけ記録されている場合は転送装置９が当該１番目転送先の１個だけの電話番号を抽出する。即ち、図８のステップ２０２では、制御局８から転送確認指示と共に入力された電話番号に対応する転送先に基づき転送データーベース１６より単数又は複数の転送先の全部を１番目転送先及び２番目転送先のような順番のとおりに抽出して、ステップ２０３に進む。ステップ２０３では、転送装置９が抽出した転送先の電話番号を制御局８に返信する。
【００４５】
図９及び図１０を参照し、実施の形態に係る制御局８における圏外転送の後段の処理について説明する。この後段の処理は、図１の転送装置９から転送先の電話番号が制御局８に入力された場合の処理である。尚、第１携帯電話機１、通信網７、制御局８；１２、転送装置９、無線基地局１０；１３、関門交換機１５、カウンター１８については図１を参照され、マイクロホン４３、スピーカー４４、転送手段５３については図３を参照されたい。
【００４６】
先ず、図９において、ステップ３０１では、制御局８が転送開始かそうでないかを判断する。即ち、転送装置９からの転送先の電話番号が制御局８に入力しなければ、ステップ３０１がＮＯになり、ステップ３０１に戻る。逆に、転送装置９からの転送先の電話番号が制御局８に入力すれば、ステップ３０１がＹＥＳになり、ステップ３０２に進む。この実施の形態では、図４の転送データーベース１６を参照すると、第１携帯電話機１の電話番号「０７０１２３４５６７８」に対応する転送先の電話番号として１番目転送先である第２携帯電話機２の電話番号と２番目転送先であるＡ携帯電話機の電話番号とが転送装置９からの転送先の電話番号として制御局８に入力されて、ステップ３０２に進むことになる。
【００４７】
ステップ３０２では、制御局８が１番目転送先に対する呼び出しを開始（転送先呼出開始）する。この実施の形態では、制御局８が第２携帯電話機２への呼出開始を実行する。これにより、制御局８が第２携帯電話機２の電話番号を関門交換機１５から制御局１２に送信する。そして、制御局１２が、通信網７における図外のホームロケーションレジスタで第２携帯電話機２の存在する位置登録エリアを確認し、その確認された位置登録エリアを受け持つ無線基地局１３に第２携帯電話機２の電話番号に対する一斉呼び出しの指示を出す。この指示を受けた無線基地局１３が自分の受け持つ位置登録エリアに第２携帯電話機２の電話番号に対する一斉呼び出しを行う。
【００４８】
次に、ステップ３０３では、制御局８のカウンター１８が転送先呼出開始からの経過時間又は経過期間のカウントを開始する。このステップ３０３でのカウント開始により、制御局８の図外のカウンターが呼出開始からの経過時間又は経過期間のカウントを開始し、ステップ３０４に進む。ステップ３０４では、ステップ３０３で開始されたカウント値が制御局８に設定された呼出時間に到達したか到達しないかを判断する。カウント値が呼出時間に到達しなければ、ステップ３０４がＮＯになり、ステップ３０７に進む。逆に、カウント値が呼出時間に到達すると、ステップ３０４がＹＥＳになり、ステップ３０５に進む。ステップ３０５では、制御局８のカウンター１８が転送先呼出開始からの経過時間又は経過期間のカウントを終了し、カウンター１８のカウント値をゼロにリセットし、ステップ３０６に進む。ステップ３０６では、制御局８が転送先に対する呼び出しを終了し、図１０のステップ３１０に進む。
【００４９】
ステップ３０７では、制御局８が転送先のオフフックかオンフックかを判断する。即ち、ステップ３０２での転送先呼出開始による無線基地局１３の第２携帯電話機２の電話番号に対する一斉呼び出しに対し、第２携帯電話機２が内部のコンピューターの働きによりつまり転送手段５３の働きにより転送を行う情報に基づいて転送電話機能による一斉呼び出しであることを確認して第２携帯電話機２のマイクロホン４３とスピーカー４４とを不動作の状態（オフ状態）に設定して集音をしないようにすると共に近距離無線通信部２２；４２を経由して第１携帯電話機１に呼び出しを伝達し、第１携帯電話機１が第２携帯電話機２からの近距離無線通信５による着信であることを確認して図５の経路別音データーベース３６に基づき発呼者の電話番号に応じたメロディで着信音を発生し、その着信音を聴いた第１・第２携帯電話機１；２を所持する人が第１携帯電話機１をオフフックすると、そのオフクックの信号が第１携帯電話機１から第２携帯電話機２に送信され、第２携帯電話機２が図３の転送手段５３の働きにより、人の操作によらず自動的にオフフックになり、第２携帯電話機２が無線基地局１１；１３と制御局８；１２と関門交換機１５とを経由して第３携帯電話機３と通信可能に接続される。このように第２・第３携帯電話機２；３が通信可能に接続される過程において、制御局８が上記第２携帯電話機２のオフフックに関する信号を受け取ることにより、ステップ３０７がＹＥＳになり、ステップ３０８に進む。又、第２携帯電話機２がステップ３０２での転送先呼出開始から自動的にオフフックになるまでの間は、ステップ３０７がＮＯになり、ステップ３０４に戻る。ステップ３０８では、制御局８のカウンター１８が転送先呼出開始からの経過時間又は経過期間のカウントを終了し、カウンター１８のカウント値をゼロにリセットし、ステップ３０９に進む。ステップ３０９では、制御局８が転送先に対する呼び出しを終了し、図９及び図１０の処理を終わる。
【００５０】
次に、図１０の処理が始まると、ステップ３１０では、制御局８が再転送開始かそうでないかを判断する。即ち、転送装置９から２番目転送先の図外のＡ携帯電話機の電話番号が制御局８に入力していなければ、ステップ３１０がＮＯになり、図９及び図１０の処理を終わる。逆に、転送装置９から２番目転送先のＡ携帯電話機の電話番号が制御局８に入力していれば、ステップ３１０がＹＥＳになり、ステップ３１１に進む。
【００５１】
ステップ３１１では、制御局８が２番目転送先に対する呼び出しを開始（転送先呼出開始と同義語）する。この実施の形態では、制御局８が図外のＡ携帯電話機への呼出開始を実行する。これにより、制御局８がＡ携帯電話機の電話番号を関門交換機１５から図外の制御局に送信する。そして、図外の制御局が、図外の通信網における図外のホームロケーションレジスタでＡ携帯電話機の存在する位置登録エリアを確認し、その確認された位置登録エリアを受け持つ図外の無線基地局にＡ携帯電話機の電話番号に対する一斉呼び出しの指示を出す。この指示を受けた上記図外の無線基地局が自分の受け持つ位置登録エリアにＡ携帯電話機の電話番号に対する一斉呼び出しを行う。
【００５２】
次に、ステップ３１２では、制御局８が転送先呼出開始からの経過時間又は経過期間のカウントを開始する。このステップ３１２でのカウント開始により、制御局８のカウンター１８が呼出開始からの経過時間又は経過期間のカウントを開始し、ステップ３１３に進む。ステップ３１３では、ステップ３１２で開始されたカウント値が制御局８に設定された呼出時間に到達したか到達しないかを判断する。カウント値が呼出時間に到達しなければ、ステップ３１３がＮＯになり、ステップ３１６に進む。逆に、カウント値が呼出時間に到達すると、ステップ３１３がＹＥＳになり、ステップ３１４に進む。ステップ３１４では、制御局８のカウンター１８が転送先呼出開始からの経過時間又は経過期間のカウントを終了し、カウンター１８のカウント値をゼロにリセットし、ステップ３１５に進む。ステップ３１５では、制御局８が転送先に対する呼び出しを終了（呼出終了と同義語）し、図９及び図１０の処理を終わる。
【００５３】
一方、ステップ３１６では、制御局８が転送先のオフフックかオンフックかを判断する。即ち、ステップ３１２での転送先呼出開始による図外の無線基地局のＡ携帯電話機の電話番号に対する一斉呼び出しに対し、Ａ携帯電話機が内部のコンピューターの働きにより転送電話機能による一斉呼び出しであることを確認してＡ携帯電話機のマイクロホンとスピーカーとを不動作の状態（オフ状態と同義語）に設定して集音をしないようにすると共に近距離無線通信部２２及び図外のＡ携帯電話機の近距離無線通信部を経由して第１携帯電話機１に呼び出しを伝達し、第１携帯電話機１がＡ携帯電話機からの近距離無線通信５による着信であることを確認して図５の経路別音データーベース３６に基づき発信者の電話番号に応じたメロディで着信音を発生し、その着信音を聴いた第１・第２携帯電話機１；２を所持する人が第１携帯電話機１をオフフックすると、そのオフクックの信号が第１携帯電話機１から第２携帯電話機２に送信され、第２携帯電話機２が図３の転送手段５３の働きにより、人の操作によらず自動的にオフフックになり、Ａ携帯電話機が無線基地局１１と制御局８と図外の無線基地局と図外の制御局と関門交換機１５とを経由してＡ携帯電話機と通信可能に接続される。このようにＡ携帯電話機と第３携帯電話機３が通信可能に接続される過程において、制御局８が上記第Ａ携帯電話機のオフフックに関する信号を受け取ることにより、ステップ３１６がＹＥＳになり、ステップ３１７に進む。又、Ａ携帯電話機がステップ３１２での転送先呼出開始から自動的にオフフックになるまでの間は、ステップ３１６がＮＯになり、ステップ３１３に戻る。ステップ３１７では、制御局８のカウンター１８が転送先呼出開始からの経過時間又は経過期間のカウントを終了し、カウンター１８のカウント値をゼロにリセットし、ステップ３１８に進む。ステップ３１８では、制御局８が転送先に対する呼び出しを終了し、図９及び図１０の処理を終わる。
【００５４】
以上のように図９及び図１０の処理によれば、転送装置９から転送先の電話番号として１番目転送先の電話番号及び２番目転送先の電話番号が制御局８に入力された状態において、１番目転送先の電話番号を有する第２携帯電話機２が無線基地局１３の位置登録エリアへの第２携帯電話機２の電話番号に対する一斉呼び出しに応答するようにオフフックになることにより第２携帯電話機２と第３携帯電話機３とが通信可能に接続され、又、第２携帯電話機２が無線基地局１３の圏外に存在するか又は第２携帯電話機２の図外の電源スイッチがオフになっていて無線基地局１３の位置登録エリアへの第２携帯電話機２の電話番号に対する一斉呼び出しに応答しない転送先呼出開始からの経過時間又は経過期間のカウント値が呼出時間に到達すると、２番目転送先の電話番号を有するＡ携帯電話機が図外の無線基地局の位置登録エリアへのＡ携帯電話機の電話番号に対する一斉呼び出しに応答するようにオフフックになることによりＡ携帯電話機と第３携帯電話機３とが通信可能に接続され、更に、Ａ携帯電話機が図外の無線基地局の圏外に存在するか又はＡ携帯電話機の図外の電源スイッチがオフになっていて図外の無線基地局の位置登録エリアへのＡ携帯電話機の電話番号に対する一斉呼び出しに応答しない転送先呼出開始からの経過時間又は経過期間のカウント値が呼出時間に到達すると、制御局８の圏外転送に関する後段の処理を終了する。
【００５５】
図１１及び図１２を参照し、実施の形態に係る第１携帯電話機１が無線送受信部２１からの着信か近距離無線通信部２２からの着信かといように受信の経路の違いで着信音としてのメロディを変える処理について、予め、図１の第１携帯電話機１が図５の経路別音データーベース３６を備えた場合を例として説明する。尚、第１携帯電話機１、通信網７、制御局８；１２、転送装置９、無線基地局１０；１３、関門交換機１５については図１を参照され、無線送受信部２１、近距離無線通信部２２、キーボード２５、マイクロホン２３、スピーカー２４、着信経路判別手段３５については図２を参照されたい。
【００５６】
先ず、図１１において、第１携帯電話機１が無線送受信部２１からの着信である場合について説明する。図１１の処理が始まると、ステップ４０１では、第１携帯電話機１が近距離無線通信５及び通信網６の双方に対して待受け状態であり、ステップ４０２に進む。ステップ４０２では、無線送受信部２１で着信かどうかを判断する。即ち、第１携帯電話機１の着信経路判別手段３５が受信の経路として無線送受信部２１からの着信であるかを判別し、無線送受信部２１からの着信である場合には、ステップ４０２がＹＥＳになり、ステップ４０３に進む。逆に、第１携帯電話機１の着信経路判別手段３５が受信の経路として無線送受信部２１からの着信でないと判別することにより、ステップ４０２がＮＯとなり、図１２のステップ４１１に進む。
【００５７】
図１１のステップ４０３では、着信経路判別手段３５が無線送受信部２１から着信した電話番号を経路別音データーベース３６に照合し、経路別音データーベース３６の発信者欄から発信者を判断する。例えば、無線送受信部２１から着信した電話番号が「０７０１２３４５６６６」である場合は、着信経路判別手段３５が上記「０７０１２３４５６６６」を図５の経路別音データーベース３６に照合して発信者がＡさんであると判断し、ステップ４０３がＹＥＳになり、ステップ４０４に進む。逆に、例えば、無線送受信部２１から着信した電話番号が「０３９８７６５４３２」又は「０９０２３４５６７８９」又は「上記以外の電話番号」である場合は、着信経路判別手段３５が上記「０３９８７６５４３２」又は「０９０２３４５６７８９」又は「上記以外の電話番号」を図５の経路別音データーベース３６に照合して発信者がＡさんでないと判断し、ステップ４０３がＮＯになり、ステップ４０６に進む。ステップ４０４では、着信経路判別手段３５が経路別音データーベース３６の発信者欄から判断した発信者としてのＡさんに対応するメロディとして経路別音データーベース３６の着信部位欄の無線送受信部欄から第１メロディを選択してスピーカー２４に供給し、スピーカー２４が第１メロディを第１・第２携帯電話機１；２を所持する人に報知させるように奏でて、ステップ４０５に進む。
【００５８】
ステップ４０６では、着信経路判別手段３５が無線送受信部２１から着信した電話番号を経路別音データーベース３６に照合し、経路別音データーベース３６の発信信者欄から発信者を判断する。例えば、無線送受信部２１から着信した電話番号が「０３９８７６５４３２」である場合は、着信経路判別手段３５が上記「０３９８７６５４３２」を図５の経路別音データーベース３６に照合して発信者がＢさんであると判断し、ステップ４０６がＹＥＳになり、ステップ４０７に進む。逆に、例えば、無線送受信部２１から着信した電話番号が「０７０１２３４５６６６」又は「０９０２３４５６７８９」又は「上記以外の電話番号」である場合は、着信経路判別手段３５が上記「０７０１２３４５６６６」又は「０９０２３４５６７８９」又は「上記以外の電話番号」を図５の経路別音データーベース３６に照合して発信者がＢさんでないと判断し、ステップ４０６がＮＯになり、ステップ４０８に進む。ステップ４０７では、着信経路判別手段３５が経路別音データーベース３６の発信者欄から判断した発信者としてのＢさんに対応するメロディとして経路別音データーベース３６の着信部位欄の無線送受信部欄から第３メロディを選択してスピーカー２４に供給し、スピーカー２４が第３メロディを第１・第２携帯電話機１；２を所持する人に報知させるように奏でて、ステップ４０５に進む。
【００５９】
ステップ４０８では、着信経路判別手段３５が無線送受信部２１から着信した電話番号を経路別音データーベース３６に照合し、経路別音データーベース３６の発信者欄から発信者を判断する。例えば、無線送受信部２１から着信した電話番号が「０９０２３４５６７８９」である場合は、着信経路判別手段３５が上記「０９０２３４５６７８９」を図５の経路別音データーベース３６に照合して発信者がＣさんであると判断し、ステップ４０８がＹＥＳになり、ステップ４０９に進む。逆に、例えば、無線送受信部２１から着信した電話番号が「０７０１２３４５６６６」又は「０３９８７６５４３２」又は「上記以外の電話番号」である場合は、着信経路判別手段３５が上記「０７０１２３４５６６６」又は「０３９８７６５４３２」又は「上記以外の電話番号」を図５の経路別音データーベース３６に照合して発信者がＣさんでないと判断し、ステップ４０８がＮＯになり、ステップ４１０に進む。ステップ４０９では、着信経路判別手段３５が経路別音データーベース３６の発信者欄から判断した発信者としてのＣさんに対応するメロディとして経路別音データーベース３６の着信部位欄の無線送受信部欄から第５メロディを選択してスピーカー２４に供給し、スピーカー２４が第３メロディを第１・第２携帯電話機１；２を所持する人に報知させるように奏でて、ステップ４０５に進む。又、ステップ４１０では、着信経路判別手段３５が例えば、無線送受信部２１から着信した電話番号「０７０１２３４５６６６」でない電話番号又は「０３９８７６５４３２」でない電話番号又は「０９０２３４５６７８９」でない電話番号としての上記以外の電話番号を図５の経路別音データーベース３６に照合し、経路別音データーベース３６の発信者欄から判断した発信者としてのＡさん乃至Ｃさん以外の人としての上記以外の人に対応するメロディとして経路別音データーベース３６の着信部位欄の無線送受信部欄から第７メロディを選択してスピーカー２４に供給し、スピーカー２４が第７メロディを第１・第２携帯電話機１；２を所持する人に報知させるように奏でて、ステップ４０５に進む。
【００６０】
ステップ４０５では、第１携帯電話機１が無線送受信部２１による着信処理を実行する。即ち、ステップ４０４で奏でられた第１メロディ又はステップ４０７で奏でられた第３メロディ又はステップ４０９で奏でられた第５メロディ又はステップ４１０で奏でられた第７メロディを聞いた第１・第２携帯電話機１；２を所持する人がＡさん又はＢさん又はＣさん又はＡ乃至Ｃさん以外の人からの着信であるかを知って第１携帯電話機１のキーボード２５のオフフックスイッチを操作することができる。又、上記第１携帯電話機１のキーボード２５の操作に相当するオフフックを表す信号が第１携帯電話機１から無線基地局１０を経由して制御局８に送信され、制御局８が第１携帯電話機１とＡさんの所持する電話機又はＢさんの所持する電話機又はＣさんの所持する電話機又はＡ乃至Ｃさん以外の人の所持する電話機とを制御局８と無線基地局１０及び図外の無線基地局を経由して通話可能に接続し、これより第１携帯電話機１とＡさんの所持する電話機又はＢさんの所持する電話機又はＣさんの所持する電話機又はＡ乃至Ｃさん以外の人の所持する電話機とが通話可能になる。
【００６１】
例えば、図１１のステップ４０２の着信経路判別手段３５による無線送受信部２１からの着信であるという判断のきっかけとなる電話番号が図５の経路別音データーベース３６の発信者欄のＡさんの電話番号「０７０１２３４５６６６」でありかつ図１の第３携帯電話機３の電話番号である場合には、図１１のステップ４０４で第１メロディが奏でられ、その第１メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＡさんの所持する第３携帯電話機２とを制御局８及び無線基地局１０；１１を経由して通話可能に接続し、これより第１携帯電話機１と第３携帯電話機３とが通話可能になる。
【００６２】
又、図１１のステップ４０２の着信経路判別手段３５による無線送受信部２１からの着信であるという判断のきっかけとなる電話番号が図５の経路別音データーベース３６の発信者欄のＢさんの電話番号「０３９８７６５４３２」のような加入電話機の電話番号である場合には、図１１のステップ４０７で第３メロディが奏でられ、その第３メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＢさんの所持する加入電話機とを制御局８と無線基地局１０と図外の関門交換機及び図外の加入電話用交換機を経由して通話可能に接続し、これより第１携帯電話機１とＢさんの所持する加入電話機とが通話可能になる。
【００６３】
又、図１１のステップ４０２の着信経路判別手段３５による無線送受信部２１からの着信であるという判断のきっかけとなる電話番号が図５の経路別音データーベース３６の発信者欄のＣさんの電話番号「０９０２３４５６７８９」でありかつ図１の第１乃至第３携帯電話機１乃至３以外の図外の携帯電話機の電話番号である場合には、図１１のステップ４０９で第５メロディが奏でられ、その第５メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＣさんの所持する第１乃至第３携帯電話機１乃至３以外の図外の携帯電話機とを制御局８と無線基地局１０と図外の関門交換機及び図外の無線基地局を経由して通話可能に接続し、これより第１携帯電話機１と上記Ｃさんの所持する第１乃至第３携帯電話機１乃至３以外の図外の携帯電話機とが通話可能になる。
【００６４】
又、図１１のステップ４０２の着信経路判別手段３５による無線送受信部２１からの着信であるという判断のきっかけとなる電話番号が図５の経路別音データーベース３６の発信者欄のＡ乃至Ｃさん以外の人の電話番号でありかつ図１の第１乃至第３携帯電話機１乃至３以外の図外の携帯電話機の電話番号又は加入電話機の電話番号である場合には、図１１のステップ４１０で第７メロディが奏でられ、その第７メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＡ乃至Ｃさん以外の人の所持する第１乃至第３携帯電話機１乃至３以外の図外の携帯電話機又は加入電話機とを制御局８と無線基地局１０と図外の関門交換機及び図外の無線基地局又は加入交換機を経由して通話可能に接続し、これより第１携帯電話機１と上記Ａ乃至Ｃさん以外の人の所持する第１乃至第３携帯電話機１乃至３以外の図外の携帯電話機又は加入電話機とが通話可能になる。
【００６５】
次に、図１２において、第１携帯電話機１が近距離無線通信部２２からの着信である場合について説明する。図１２の処理が始まると、ステップ４１１では、送受信部で受信かどうかを判断する。即ち、第１携帯電話機１の着信経路判別手段３５が近距離無線通信部２２からの着信であると受信の経路を判別することにより、ステップ４１１がＹＥＳになり、ステップ４１２に進む。逆に、第１携帯電話機１の着信経路判別手段３５が近距離無線通信部２２からの着信でないと受信の経路を判別することにより、ステップ４１１がＮＯとなり、図１２のステップ４０１に戻る。
【００６６】
図１２のステップ４１２では、着信経路判別手段３５が近距離無線通信部２２から着信した電話番号を経路別音データーベース３６に照合し、経路別音データーベース３６の発信者欄から発信者を判断する。例えば、無線送受信部２１から着信した電話番号が「０７０１２３４５６６６」である場合は、着信経路判別手段３５が上記「０７０１２３４５６６６」を図５の経路別音データーベース３６に照合して発信者がＡさんであると判断し、ステップ４１２がＹＥＳになり、ステップ４１３に進む。逆に、例えば、無線送受信部２１から着信した電話番号が「０３９８７６５４３２」又は「０９０２３４５６７８９」又は「上記以外の電話番号」である場合は、着信経路判別手段３５が上記「０３９８７６５４３２」又は「０９０２３４５６７８９」又は「上記以外の電話番号」を図５の経路別音データーベース３６に照合して発信者がＡさんでないと判断し、ステップ４１２がＮＯになり、ステップ４１５に進む。ステップ４１３では、着信経路判別手段３５が経路別音データーベース３６の発信者欄から判断した発信者としてのＡさんに対応するメロディとして経路別音データーベース３６の着信部位欄の近距離無線通信部欄から第２メロディを選択してスピーカー２４に供給し、スピーカー２４が第２メロディを第１・第２携帯電話機１；２を所持する人に報知させるように奏でて、ステップ４１４に進む。
【００６７】
ステップ４１５では、着信経路判別手段３５が近距離無線通信部２２から着信した電話番号を経路別音データーベース３６に照合し、経路別音データーベース３６の発信者欄から発信者を判断する。例えば、無線送受信部２１から着信した電話番号が「０３９８７６５４３２」である場合は、着信経路判別手段３５が上記「０３９８７６５４３２」を図５の経路別音データーベース３６に照合して発信者がＢさんであると判断し、ステップ４１５がＹＥＳになり、ステップ４１６に進む。逆に、例えば、無線送受信部２１から着信した電話番号が「０７０１２３４５６６６」又は「０９０２３４５６７８９」又は「上記以外の電話番号」である場合は、着信経路判別手段３５が上記「０７０１２３４５６６６」又は「０９０２３４５６７８９」又は「上記以外の電話番号」を図５の経路別音データーベース３６に照合して発信者がＢさんでないと判断し、ステップ４１５がＮＯになり、ステップ４１７に進む。ステップ４１６では、着信経路判別手段３５が経路別音データーベース３６の発信者欄から判断した発信者としてのＢさんに対応するメロディとして経路別音データーベース３６の着信部位欄の近距離無線通信部欄から第４メロディを選択してスピーカー２４に供給し、スピーカー２４が第４メロディを第１・第２携帯電話機１；２を所持する人に報知させるように奏でて、ステップ４１４に進む。
【００６８】
ステップ４１７では、着信経路判別手段３５が近距離無線通信部２２から着信した電話番号を経路別音データーベース３６に照合し、経路別音データーベース３６の発信者欄から発信者を判断する。例えば、無線送受信部２１から着信した電話番号が「０９０２３４５６７８９」である場合は、着信経路判別手段３５が上記「０９０２３４５６７８９」を図５の経路別音データーベース３６に照合して発信者がＣさんであると判断し、ステップ４１７がＹＥＳになり、ステップ４１８に進む。逆に、例えば、無線送受信部２１から着信した電話番号が「０７０１２３４５６６６」又は「０３９８７６５４３２」又は「上記以外の電話番号」である場合は、着信経路判別手段３５が上記「０７０１２３４５６６６」又は「０３９８７６５４３２」又は「上記以外の電話番号」を図５の経路別音データーベース３６に照合して発信者がＣさんでないと判断し、ステップ４１７がＮＯになり、ステップ４１９に進む。ステップ４１８では、着信経路判別手段３５が経路別音データーベース３６の発信者欄から判断した発信者としてのＣさんに対応するメロディとして経路別音データーベース３６の着信部位欄の近距離無線通信部欄から第６メロディを選択してスピーカー２４に供給し、スピーカー２４が第６メロディを第１・第２携帯電話機１；２を所持する人に報知させるように奏でて、ステップ４１４に進む。又、ステップ４１９では、着信経路判別手段３５が例えば、無線送受信部２１から着信した電話番号「０７０１２３４５６６６」でない電話番号又は「０３９８７６５４３２」でない電話番号又は「０９０２３４５６７８９」でない電話番号としての上記以外の電話番号を図５の経路別音データーベース３６に照合し、経路別音データーベース３６の発信者欄から判断した発信者としてのＡさん乃至Ｃさん以外の人としての上記以外の人に対応するメロディとして経路別音データーベース３６の着信部位欄の近距離無線通信部欄から第８メロディを選択してスピーカー２４に供給し、スピーカー２４が第８メロディを第１・第２携帯電話機１；２を所持する人に報知させるように奏でて、ステップ４１４に進む。
【００６９】
ステップ４１４では、第１携帯電話機１が近距離無線通信部２２による着信処理を実行する。即ち、ステップ４１３で奏でられた第２メロディ又はステップ４１６で奏でられた第４メロディ又はステップ４１８で奏でられた第６メロディ又はステップ４１９で奏でられた第８メロディを聞いた第１・第２携帯電話機１；２を所持する人がＡさん又はＢさん又はＣさん又はＡ乃至Ｃさん以外の人からの着信であるかを知って第１携帯電話機１のキーボード２５のオフフックスイッチを操作することができる。又、上記第１携帯電話機１のキーボード２５の操作に相当するオフフックを表す信号が第１携帯電話機１から無線基地局１０を経由して制御局８に送信され、制御局８が第１携帯電話機１とＡさんの所持する電話機又はＢさんの所持する電話機又はＣさんの所持する電話機又はＡ乃至Ｃさん以外の人の所持する電話機とを制御局８と無線基地局１０及び図外の無線基地局を経由して通話可能に接続し、これより第１携帯電話機１とＡさんの所持する電話機又はＢさんの所持する電話機又はＣさんの所持する電話機又はＡ乃至Ｃさん以外の人の所持する電話機とが通話可能になる。
【００７０】
例えば、図１２のステップ４１１の着信経路判別手段３５による近距離無線通信部２２からの着信であるという判断のきっかけとなる電話番号が図５の経路別音データーベース３６の発信者欄のＡさんの電話番号「０７０１２３４５６６６」でありかつ図１の第３携帯電話機３の電話番号である場合には、図１２のステップ４１３で第２メロディが奏でられ、その第２メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＡさんの所持する第３携帯電話機２とを制御局８及び無線基地局１０；１１を経由して通話可能に接続し、これより第１携帯電話機１と第３携帯電話機３とが通話可能になる。
【００７１】
又、図１２のステップ４１１の着信経路判別手段３５による近距離無線通信部２２からの着信であるという判断のきっかけとなる電話番号が図５の経路別音データーベース３６の発信者欄のＢさんの電話番号「０３９８７６５４３２」のような加入電話機の電話番号である場合には、図１２のステップ４１６で第４メロディが奏でられ、その第４メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＢさんの所持する加入電話機とを制御局８と無線基地局１０と図外の関門交換機及び図外の加入電話用交換機を経由して通話可能に接続し、これより第１携帯電話機１とＢさんの所持する加入電話機とが通話可能になる。
【００７２】
又、図１２のステップ４１１の着信経路判別手段３５による近距離無線通信部２２からの着信であるという判断のきっかけとなる電話番号が図５の経路別音データーベース３６の発信者欄のＣさんの電話番号「０９０２３４５６７８９」でありかつ図１の第１乃至第３携帯電話機１乃至３以外の図外の携帯電話機の電話番号である場合には、図１２のステップ４１８で第６メロディが奏でられ、その第６メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＣさんの所持する第１乃至第３携帯電話機１乃至３以外の図外の携帯電話機とを制御局８と無線基地局１０と図外の関門交換機及び図外の無線基地局を経由して通話可能に接続し、これより第１携帯電話機１と上記Ｃさんの所持する第１乃至第３携帯電話機１乃至３以外の図外の携帯電話機とが通話可能になる。
【００７３】
又、図１２のステップ４１１の着信経路判別手段３５による近距離無線通信部２２からの着信であるという判断のきっかけとなる電話番号が図５の経路別音データーベース３６の発信者欄のＡ乃至Ｃさん以外の人の電話番号でありかつ図１の第１乃至第３携帯電話機１乃至３以外の図外の携帯電話機の電話番号又は加入電話機の電話番号である場合には、図１２のステップ４１９で第８メロディが奏でられ、その第８メロディを聞いた第１・第２携帯電話機１；２を所持する人が第１携帯電話機１のキーボード２５のオフフックスイッチを操作すると、第１携帯電話機１のキーボード２５の操作に相当するオフフックを表す信号が第１携帯電話機１から無線基地局１０を経由して制御局８に送信され、制御局８が第１携帯電話機１とＡ乃至Ｃさん以外の人の所持する第１乃至第３携帯電話機１乃至３以外の図外の携帯電話機又は加入電話機とを制御局８と無線基地局１０と図外の関門交換機及び図外の無線基地局又は加入交換機を経由して通話可能に接続し、これより第１携帯電話機１と上記Ａ乃至Ｃさん以外の人の所持する第１乃至第３携帯電話機１乃至３以外の図外の携帯電話機又は加入電話機とが通話可能になる。
【００７４】
実施の形態において、図１に示す転送装置９に転送データーベース１６と時間帯別データーベース１７とを設けることより圏外転送と時間帯別転送とを使い分けることも可能になる。圏外転送と時間帯別転送とを使い分ける場合、例えば、図２において、第１携帯電話機１の図外の電源スイッチがオン操作されるのに伴い、ＣＰＵ３０の働きにより圏外転送と時間帯別転送との選択をユーザーに促す選択画面がディスプレイ２６に表示される。その後、ユーザーがキーボード２５で圏外転送又は時間帯別転送の何れかを選択する操作を行う。例えば、ユーザーが圏外転送を選択すると、ＣＰＵ３０の働きによりの働きにより圏外転送がＲＡＭ３２に記録されて、圏外転送が制御部２９に設定される。また、ユーザーが時間帯別転送を選択すると、ＣＰＵ３０の働きにより時間帯別転送がＲＡＭ３２に記録されて、時間帯別転送が制御部２９に設定される。このように圏外転送又は時間帯別転送の何れかが制御部２９に設定された後、第１携帯電話機１がバッテリー２７からの電力で通信網６と近距離無線通信５及び通信網６の双方とに対して待受け状態になった後、図７乃至図１０に示す圏外転送の処理又は図外の時間別転送の処理が実行されるようにすれば、圏外転送と時間帯別転送とを使い分けることができる。
【００７５】
尚、時間帯別転送では、図８のステップ２０２で用いる転送データーベース１６に代えて図６に示す時間帯別データーベース１７を使用すればよい。即ち、図８のステップ２０２において、転送装置９が転送先を決定する場合に、転送装置９は、図８のステップ２０１で制御局８から転送指示と共に入力された第１携帯電話機１の電話番号を時間帯別データーベース１７に照合するとき、その照合する時の時刻が時間帯別データーベース１７の転送時間に記録されたどの時間帯に属するかにより、時間帯別データーベース１７から第１携帯電話機１の電話番号に対応する転送先の電話番号を転送先として決定する。
【００７６】
図２に示す第１携帯電話機１の制御部２９に図３に示す転送手段５３に相当する転送手段を備え、又、図３示す第２携帯電話機２の制御部４９に図２に示す転送設定手段３３に相当する転送手段と経路別判別手段３５に相当する経路別判別手段及び経路別音データーベース３６に相当する経路別音データーベースを備えることにより、第１携帯電話機１を第２携帯電話機２として使用し、第２携帯電話機２を第１携帯電話機１として使用することも可能である。
【符号の説明】
【００７７】
１は第１携帯電話機、２は第２携帯電話機、３は第３携帯電話機、４は第４携帯電話機、５は近距離無線通信、６は通信網、７は通信網、８は制御局、９は転送装置、１０は無線基地局、１１は無線基地局、１２は制御局、１３は無線基地局、１４は無線基地局、１５は関門交換機、１６は転送データーベース、１７は時間帯別データーベース、１８はカウンター、１９は枠、２０は欠番、２１は無線送受信部、２２は近距離無線通信部、２３はマイクロホン、２４はスピーカー、２５はキーボード、２６はディスプレイ、２７はバッテリー、２８はフラッシュメモリー、２９は制御部、３０はＣＰＵ、３１はＲＯＭ、３２はＲＡＭ、３３は転送設定手段、３４はペアリング設定手段、３５は着信経路判別手段、３６は経路別音データーベース、３７乃至４０は欠番、４１は無線送受信部、４２は近距離無線通信部、４３はマイクロホン、４４はスピーカー、４５はキーボード、４６はディスプレイ、４７はバッテリー、４８はフラッシュメモリー、４９は制御部、５０はＣＰＵ、５１はＲＯＭ、５２はＲＡＭ、５３は転送手段、５４はペアリング設定手段。
【図１】
0005898442.tif 000002
【図２】
0005898442.tif 000003
【図３】
0005898442.tif 000004
【図４】
0005898442.tif 000005
【図５】
0005898442.tif 000006
【図６】
0005898442.tif 000007
【図７】
0005898442.tif 000008
【図８】
0005898442.tif 000009
【図９】
0005898442.tif 000010
【図１０】
0005898442.tif 000011
【図１１】
0005898442.tif 000012
【図１２】
0005898442.tif 000013